(57)【要約】【課題】パレット等の積載物がフォーク上を滑走しないようにする。【解決手段】本発明の滑止器具は、フォークリフトのフォークの根元に設置することで、パレット等の積載物は、挿入口が激突防止案内役の側板斜面によって滑止器具に激突することもなく滑り止め部材に載る態様になって、パレット等の積載物がフォーク上を滑走することの防止ができる。又、滑止器具に台座Ｔと詰め板バネ体１２を内設できる形状にすることで、摩耗した台座Ｔは短時間で交換でき、フォークの爪巾が一定しなくても本発明の滑止器具を所定の位置に詰め板バネ体１２の機能で常置させることも可能で有る。【選択図】　　　図１
2004026488.tif 000002
【特許請求の範囲】
【請求項１】
フォークリフトのフォークの先端から根元まで挿入可能な開口部が有り、本発明の滑止器具の上面部には、パレット等の積載物挿入口の上内面が載られるよう滑り止め部材が貼りつけてあり、組板で結合している側板の斜面はフォーク爪面より出る面では、爪面に対して斜角で接続形状を有する、即ち挿入口が挿入動作時に接触の可能性が有る激突防止案内役の側板の斜面が始まる位置は、フォークの爪面より深い位置からで斜面が始まる構造を有する、滑止器具。
【請求項２】
フォークの爪面に覆い被さる形状を有した台座面１１に滑り止め部材１０を貼りつけた台座Ｔを内設した、請求項１記載の滑止器具。
【請求項３】
バネの反発力を機能的に応用した詰め板バネ体１２を内設した、請求項１記載の滑止器具。
【発明の詳細な説明】
【０００１】
【発明の属する技術分野】
本発明は、フォークリフトのフォーク上をパレット等の積載物が滑走しないようにするため、フォークに取付け可能な滑り止め器具に関する。
【０００２】
【従来の技術】
従来では、特開２００２−１２３９７、発明の名称フォークリフトのパレット固定構造にて公開されている技術では（図９、１０参照）パレット１５にフォークと共に挿入される圧接部材２１．２２を運転台におけるリフト側の操作部１７に設けられた操作手段であるペタル１８およびレバー１９により操作される、上下向に動作させる操作手段１８、１９でパレット１５の上下内面１５ｆ、１５ｉを圧接部材２１、２２が圧接して該パレット１５が固定される構造はフォークリフトへの本体設置でありフォークリフトのフォークに直接設置する構造にはなっていない。
【０００３】
【発明が解決しようとする課題】
上記した従来技術では、フォークリフト本体にパレット固定機能装置を設置するフォークリフトの数も限定され、従ってフォーク上のパレット等積載物の滑り止め防止の効果も限定される。しかし、フォーク上にフォーク滑り止め器具を設置すれば、パレット等の積載物の挿入口が設置器具に激突することも有り、これを簡単に防止する技術が存在しなかったので、パレット等の積載物の滑り止め防止のために簡素化したフォーク滑り止め器具を、フォーク根元に短時間で設置できることを課題とするものである。
【０００４】
【課題を解決するための手段】
本発明は、上記技術課題を解決するため、本発明の滑止器具を、フォークリフトのフォークの根元に設置することでパレット等の積載物は、挿入口が激突防止案内役の側板斜面によって滑止器具に激突することもなく、滑り止め部材に載る態様になってパレット等の積載物がフォーク上を滑走することの防止ができる、又、滑止器具に台座Ｔと詰め板バネ体１２を内設できる形状にすることで、摩耗した台座Ｔは短時間で交換でき、フォークの爪巾が一定しなくても本発明の滑止器具を、所定の位置に詰め板バネ体１２の機能で常置させることも可能で有る、詳細は以下である。
【０００５】
請求項１の発明では、滑止器具を取り付けたフォークをパレット等の積載物に挿入するとき、挿入口が滑止器具に激突しないよう滑止器具の側板３、４にフォーク爪面の深い位置より始まる斜面３ａ、３ｂ、３ｃ、４ａ、４ｂ、４ｃを有していることと、パレット等の積載物がフォーク上を滑走ないよう滑り止め部材を滑止器具に貼りつけて有ることを特徴とする。
【０００６】
請求項２の発明は、請求項１記載の滑止器具に内設される構造を有し、滑止器具取付けの態様になれば滑止器具以外へは移動せず、台座面１１に貼りつけた滑り止め部材が摩耗すれば台座Ｔのみの交換で済むことを特徴とする。
【０００７】
請求項３の発明は、請求項１記載の滑止器具に内設される構造を有し、滑止器具取付けの態様になれば、フォークの爪巾が異なるフォークに取り付けてもバネの反発力で滑止器具を所定位置に戻す機能を有していることを特徴とする。
【０００８】
【発明の実施の形態】
次に、本発明の実施の１形態を図面に従って説明する。
【０００９】
図１で示す通り、根元に滑止器具Ｋが取り付けられたフォーク２にパレット１５がすくい上げられた状態（滑止器具Ｋの断面図は図５のＸ−Ｘ線矢視図）で、パレット上内面１５ｆが滑り止め部材１０の上に載る態様でパレットの滑り止めが可能となることを示し。側板先端辺ｄ、ｅの寸法がフォーク爪厚ｈの寸法より短いことで、激突防止機能の案内役の斜面３ａ、３ｂ、３ｃと同じ斜面４ａ、４ｂ、４ｃがフォーク爪面より深い位置、即ち、側板先端辺ｄ、ｅの端から始まっていることを示している。
【００１０】
図２で示す通り、台座Ｔと詰め板バネ体１２が内設された本発明滑止器具Ｋの軸受け９の穴から、止めピン１４を取付け軸１３の穴も貫通して止めれば、フォークリフト外側に位置する滑止器具Ｋの側板４の出っ張りを少なくできることで２本のフォークの間隔を最大限とることができることを示す。
【００１１】
図３で示す通り、滑止器具Ｋの側板３、４の斜面３ａ、３ｂ、３ｃ、４ａ、４ｂ、４ｃが辺寸法ｄ、ｅの端より始まっていることを示す。
【００１２】
図４で示す通り、台座面１１に滑り止め部材１０を貼りつけて、台座の側板には穴１１ｇをあけて取付け軸を通せる形状になっているため、摩耗しやすい滑り止め部材１０を貼りつけた台座Ｔのみの脱着で、その交換作業が簡単にできることを示す。
【００１３】
図５で示す通り、滑止器具Ｋが詰め板バネ体１２の機能で所定の位置に常置している。
【００１４】
図８で示す通り、詰め板バネ体１２は、取付け軸１３を通す穴１２ｇが有ることにより、滑止器具Ｋに内設できることをことを示す。
【００１５】
【発明の効果】
請求項１の発明によれば、フォークリフトのフォーク上をパレット等の積載物が滑走するのを簡単に防止ができる。
【００１６】
請求項１の発明によれば、パレット等の積載物の挿入口が滑止器具Ｋの側板に有る激突防止案内役の斜面で、挿入口と滑止器具が激突して双方が破損することも生じにくい。
【００１７】
請求項２の発明によれば、滑止器具Ｋに内設された摩耗しやすい滑り止め部材１０を貼りつけてある台座Ｔを簡単に交換できる。
【００１８】
請求項３の発明によれば、滑止器具Ｋをバネの反発力で作業の支障にならない一方向に巾寄せができる。
【図面の簡単な説明】
【図１】本発明の実施の一形態をしめすもので、パレットの滑り止め機能が機能している態様を示した断面図、滑止器具Ｋの断面図は図５のＸ−Ｘ線矢視図。
【図２】本発明の実施の一形態をしめすもので、フォークの後側から取付け部を示した図。
【図３】本発明の滑止器具Ｋの斜視図。
【図４】本発明の滑り止め部材が貼りつけられた台座Ｔの斜視図。
【図５】本発明の実施の一形態をしめすもので、滑止器具Ｋの平面図。
【図６】本発明の実施の一形態をしめすもので、滑止器具Ｋの側面図。
【図７】滑止器具Ｋを一方向に巾寄せ機能を持つ、詰め板バネ体１２の側面図。
【図８】滑止器具Ｋを一方向に巾寄せ機能を持つ、詰め板バネ体１２の平面図。
【図９】従来技術のパレット固定装置の作動前の説明図。
【図１０】従来技術のパレット固定装置の作動後の説明図。
【符号の説明】
１　　フォークリフト
２　　フォークリフトのフォーク
３　　滑止器具Ｋの３番側板
３ａ　激突防止案内役側板の３ａ斜面
３ｂ　激突防止案内役側板の３ｂ斜面
３ｃ　激突防止案内役側板の３ｃ斜面
４　　滑止器具Ｋの４番側板
４ａ　激突防止案内役側板の４ａ斜面
４ｂ　激突防止案内役側板の４ｂ斜面
４ｃ　激突防止案内役側板の４ｃ斜面
５　　滑止器具Ｋの側板を連結する５番組板
６　　滑止器具Ｋの側板を連結する６番組板
７　　滑止器具Ｋの側板を連結する７番組板
８　　滑止器具Ｋの側板を連結する８番組板
９　　取付け軸の軸受け
１０　滑り止め部材
１１　台座面
１２　詰め板バネ体
１３　取付け軸
１４　止めピン
１５　パレット
１６　従来技術の固定構造の運転台
１７　従来技術の固定構造のリフト側操作部
１８　従来技術の固定構造のリフト側ペタル
２１　従来技術の固定構造の第１圧接部材
２２　従来技術の固定構造の第２圧接部材
Ｋ　　滑止器具
Ｔ　　台座
ｈ　　フォーク爪厚寸法
ｄ　　滑止器具Ｋの先端辺寸法
ｅ　　滑止器具Ｋの根元上部先端辺寸法
【図１】
2004026488.tif 000003
【図２】
2004026488.tif 000004
【図３】
2004026488.tif 000005
【図４】
2004026488.tif 000006
【図５】
2004026488.tif 000007
【図６】
2004026488.tif 000008
【図７】
2004026488.tif 000009
【図８】
2004026488.tif 000010
【図９】
2004026488.tif 000011
【図１０】
2004026488.tif 000012